(57)【要約】      （修正有）【課題】正装効果を盛り上げることのできる下着であって、連結および補強部材を備え、低いハート部分を有する下着を提供する。【解決手段】下着とブラジャー・カップから成り、連結用枠組みがブラジャー・カップを補強するために下着の低いハート部分に設けられている。連結用枠組みはV字型、あるいはU字型の形状をしている。連結用枠組みの連結部材の端部には連結穴が設けられている。連結穴はブラジャー・カップの下側縁と連結しており、連結用枠組みの下側端部と下着は連結され一体となっている。連結したハート部分を着用する人の腹部の上の方までさげることができる。コルセットのような下着の補強と、女性の胸の保護と装飾の機能を向上させることができる。【選択図】図１
0003112095.tif 000002
【実用新案登録請求の範囲】
【請求項１】
下着とブラジャー・カップ(2)から成り、当該下着は連結および補強部材を備え、低いハート部分を有し、連結用枠組み(4)がブラジャー・カップ(2)を補強するために下着の低いハート部分に設けられていることを特徴とする下着。
【請求項２】
請求項1に記載された連結および補強部材を備え、低いハート部分を有する下着において、前記連結用枠組み(4)がV字状またはU字状の形状を有しているいることを特徴とする下着。
【請求項３】
請求項1または2に記載された連結および補強部材を備え、低いハート部分を有する下着において、前記連結用枠組み(4)の連結部材の端部には連結穴(6)が設けられており、前記連結穴(6)はブラジャー・カップ(2)の下側縁と連結しており、連結用枠組み(4)の下側端部と下着は連結され一体となっていることを特徴とする下着。
【請求項４】
請求項1または2に記載された連結および補強部材を備え、低いハート部分を有する下着において、前記連結用枠組み(4)は前記下着の低いハート部分(3)に縫い付けられており、ブラジャー・カップの下側縁を補強するようにしていることを特徴とする下着。
【請求項５】
請求項1または2に記載された連結および補強部材を備え、低いハート部分を有する下着において、前記連結用枠組み(4)は下着の低いハート部分(3)において織物の層の中に重ねられ、当該織物は縫い付けられ、ブラジャー・カップの下側縁を補強するようにしていることを特徴とする下着。
【請求項６】
請求項1に記載された連結および補強部材を備え、低いハート部分を有する下着において、前記連結用枠組み(4)が金属またはプラスチックから作られていることを特徴とする下着。
【請求項７】
請求項1に記載された連結および補強部材を備え、低いハート部分を有する下着において、前記下着がコルセット(1)または女性用胴着(5)であることを特徴とする下着。
【考案の詳細な説明】
【技術分野】
【０００１】
本考案は、連結および補強部材を備え、低いハート部分を有する下着に関係し、更に詳細にはドレスのアクセサリおよび女性の下着に関係する。
【背景技術】
【０００２】
女性の下着の機能を高めるために、ブラジャー・カップの部分を備えたコルセット、ジャンプスーツ、あるいは女性用胴着のような女性用下着は、左右のブラジャー・カップの間の部分(この部分は従来から、ハートと呼ばれている)を連結するように設計されている。従来技術によれば、ハート部分は一般的に織物または連結したバックルで作られ、ブラジャー・カップのセンターラインと下側縁の間に配置されている。女性が胸の開いたブラウスを着用するとき、コルセットのような下着のハート部分が見えてしまい、正装した状態および審美的な効果に悪い影響を与えることになる。
【考案の開示】
【考案が解決しようとする課題】
【０００３】
本考案が解決しようとする課題は、胸の開いたブラウスによくマッチし、従来の下着の欠点を無くし、そして正装効果を盛り上げることのできる下着であって、連結および補強部材を備え、低いハート部分を有する下着を提供することである。
【課題を解決するための手段】
【０００４】
本考案の課題は、以下に説明するような方法によって解決される。
【０００５】
下着とブラジャー・カップから成り、当該下着は連結および補強部材を備え、低いハート部分を有し、連結用枠組みがブラジャー・カップを補強するために下着の低いハート部分に設けられている。
【０００６】
連結用枠組みはV字型、あるいはU字型の形状をしている。
【０００７】
前記連結用枠組みの連結部材の端部には連結穴が設けられている。前記連結穴はブラジャー・カップの下側縁と連結しており、連結用枠組みの下側端部と下着は連結され一体となっている。
【０００８】
前記連結用枠組みは下着の低いハート部分に縫い付けられており、ブラジャー・カップの下側縁を補強するようにしている。
【０００９】
前記連結用枠組みは下着の低いハート部分に配置された織物の層の中に重ねたものであり、ブラジャー・カップを補強するようにしている。
【００１０】
前記連結用枠組みは金属またはプラスチックで作られている。
【００１１】
前記下着は、コルセットまたは女性用胴着である。
【考案の効果】
【００１２】
本考案によれば、連結したハート部分を着用する人の腹部の上の方までさげることができ、コルセットのような下着の補強と、女性の胸の保護と装飾の機能を向上させることができる。更に本考案によれば、女性が胸の開いたドレスや、開襟Tシャツ、およびミッドリフ(胴の中央部を露出する婦人服)イブニング・ドレスのような低いハート部分を有する服を快適に着ることができるようになる。その結果、下着を着ていないのと同じ視覚的な効果を実現でき、従来の下着の機能である女性の胸の補強と保護を行うことができる。
【考案を実施するための最良の形態】
【００１３】
図1および図2に基づいて、本考案の最良の形態について以下に詳細に説明する。
【００１４】
実施例1： 図1参照
本実施例においては、前記下着(1)はコルセットであり、ブラジャー・カップ(2)を補強するために使用される連結用枠組み(4)は、前記下着(1)の低いハート部分(3)に配置される。本発明にかかる前記連結用枠組み(4)はV字型の形状をしており、金属で作られている。前記連結用枠組み(4)は織物の層の中に重ねられており、前記織物の層は下着の低いハート部分(3)で縫い付けられており、ブラジャー・カップの下側縁を補強し、左右のブラジャー・カップを連結している。そして連結用枠組み(4)は、その下側部分において下着の織物と連結されている。このような方法により、連結用枠組み(4)を固定することができ、着用する人の腹部の上の方においてブラジャー・カップを補強することができる。あるいは、前記連結用枠組み(4)は織物の層の中に重ねること無しに、ブラジャー・カップの下側縁を補強するために下着の低いハート部分(3)において直接縫い付けることもできる。V字型の形状をした枠組みの上端は、ブラジャー・カップ(2)に回転させた縫込みによって連結することができる。この構造は、着ている人が前かがみになったり、あるいは手足を動かすようなときにも、金属枠組みの上側部分が常に体にフィットできるようにするものである。また、ブラジャー・カップ(2)が密着することにより保護効果を確実なものにする。更に、枠組みの下側部分が弾力のある織物に沿って動き、着ている女性が固いもので押さえられているという感覚を持つことがないようにする。
【００１５】
実施例2： 図2参照
本実施例においては、前記下着(5)が女性用胴着であり、連結用枠組み(7)はU字状の形状を有する。連結穴(6)はU字状の前記連結用枠組み(7)の連結部材の端部に設けられている。前記連結穴(6)はブラジャー・カップ(2)の下側縁と連結し、そしてU字状の前記連結用枠組み(7)の下側端部と下着を連結して一体にしている。この実施例においては、U字状の前記連結用枠組み(7)はプラスチックで作られている。
【００１６】
本実施例のその他の部分については、実施例1と同様である。
【図面の簡単な説明】
【００１７】
【図１】図1は、本考案の構造図を示したものである。
【図２】図2は、本考案の第二の実施例の構造図を示したものである。
【符号の説明】
【００１８】
1       下着
2       ブラジャー・カップ
3       ハート部分
4       連結用枠組み
5       下着
6       連結穴
7       連結用枠組み
【図１】
0003112095.tif 000003
【図２】
0003112095.tif 000004